(57)【要約】【課題】電気機器を使用することで消費した電力に対して確実に課金を行うことが可能な電力供給装置を提供する。【解決手段】病院施設、宿泊施設等の施設電源設備から給電されかつ電気機器に接続可能な電気接続部１６０を有する電力供給ユニット１０２と、使用可能な電力量に相当する残使用時間が記憶されたプリペイドカード１０と、プリペイドカード１０が電気的に着脱されるとともに、電気接続部１６０に接続された電気機器への電力供給量をプリペイドカード１０の情報に基づき制御する電力制御ユニット１０１とを備えたので、使用可能な電力量よりも多くの電力が電気機器に供給されることがない。これにより、例えば使用可能な電力量に対して予め電力使用料を支払うことにより、電気機器の電力消費量に対する課金を行うことができる。従って、利用者の節電意識が向上するとともに、施設を提供する側にとっても電力消費に係るコストを低減させることができる。【選択図】図２
2006344144.tif 000002
【特許請求の範囲】
【請求項１】
病院施設、宿泊施設等の施設電源設備から給電されかつ電気機器に接続可能なコンセント等の電気接続部を有する電力供給ユニットと、
使用可能な電力量に相当する情報が記憶された記憶媒体と、
前記記憶媒体が電気的に着脱されるとともに、前記電気接続部に接続された電気機器への電力供給量を記憶媒体の情報に基づき制御する電力制御ユニットとを備えた
ことを特徴とする電力供給装置。
【請求項２】
前記電力供給ユニットは前記電気接続部を複数有するとともに、該各電気接続部を選択する選択部と、該選択部で選択された電気接続部に電力を供給する電力供給部とを有する
ことを特徴とする請求項１記載の電力供給装置。
【請求項３】
前記電力制御ユニットと電力供給ユニットとの間でデータ通信するための通信制御部を備えた
ことを特徴とする請求項１または２記載の電力供給装置。
【請求項４】
前記電力制御ユニットは電気接続部に接続した電気機器に供給した電力量に基づいて、記憶媒体に記憶された金額情報の決済処理を行う電力制御部を有する
ことを特徴とする請求項１乃至３何れか１項記載の電力供給装置。
【請求項５】
前記電力制御ユニットは電気接続部に接続した電気機器に供給した電力量及び電気機器の使用時間に基づいて、記憶媒体に記憶された金額情報の決済処理を行う電力制御部を有する
ことを特徴とする請求項１乃至３何れか１項記載の電力供給装置。
【請求項６】
前記電力制御ユニットは電力使用履歴等の出力情報を出力する電力制御部を有するとともに、該出力情報を記憶する記憶部を有する
ことを特徴とする請求項１乃至５何れか１項記載の電力供給装置。
【請求項７】
ネットワーク接続用の通信装置と、
前記電力制御部から通信装置を介して送信された電力使用履歴等の出力情報を受信し、受信した出力情報を記憶する管理サーバとを備えた
ことを特徴とする請求項６記載の電力供給装置。
【請求項８】
前記電力制御ユニットの記憶部は、通信装置を介して管理サーバから受信した換算係数等の設定情報を記憶部に記憶するように構成した
ことを特徴とする請求項７記載の電力供給装置。
【請求項９】
時刻を計時する計時部を備え、
前記電力制御ユニットは、計時部によって計時された時間が電力を供給しない時間帯であるときに電気接続部への電力の供給を遮断する電力制御部を有する
ことを特徴とする請求項１乃至８何れか１項記載の電力供給装置。
【発明の詳細な説明】
【技術分野】
【０００１】
本発明は、例えば病院施設、宿泊施設又は企業等の施設の利用者が電気機器を扱うために使用した電力の料金を利用者に対して課金する電力供給装置に関するものである。
【背景技術】
【０００２】
従来、この種の電力供給装置として、病院施設においてプリペイドカードを記憶媒体として利用し、テレビ及び他の電気機器（例えば冷蔵庫）の使用時間に対して課金を行うカードリーダ部を備えたものが知られている。この電力供給装置はテレビに設けられており、プリペイドカードが装置に設けられた挿入口に挿入されると、カードリーダ部がプリペイドカードに記憶された金額情報を読み取るとともに、装置に接続されたテレビや他の電気機器に電力を供給し、テレビや他の電気機器の使用時間に応じて金額情報を減算することによりテレビ及び他の電気機器の使用時間に対して課金を行う（特許文献１参照）。
【特許文献１】特開２００２−２５６９６１号公報
【発明の開示】
【発明が解決しようとする課題】
【０００３】
しかしながら、前記従来例では、装置に接続された電気機器の使用時間に対して課金するだけであって、テレビ等の電気機器を稼動するための電力に対して課金することがない。また、利用者が装置に接続されていない電気機器を使用する場合には、病院施設の壁等に設置されたコンセントに電気機器を直接に接続することで電力を使用することが可能となる。従って、利用者には電力使用に対して何の制限も課されないので、電力消費量が増大する。これにより、利用者の節電意識が向上しなくなるだけでなく、施設を提供する側にとっても電力消費に係るコストを節約することができないという問題がある。
【０００４】
本発明は前記問題点に鑑みてなされたものであり、その目的とするところは、電気機器を使用することで消費した電力に対して確実に課金を行うことが可能な電力供給装置を提供することにある。
【課題を解決するための手段】
【０００５】
本発明は、前記目的を達成するために、病院施設、宿泊施設等の施設電源設備から給電されかつ電気機器に接続可能なコンセント等の電気接続部を有する電力供給ユニットと、使用可能な電力量に相当する情報が記憶された記憶媒体と、前記記憶媒体が電気的に着脱されるとともに、前記電気接続部に接続された電気機器への電力供給量を記憶媒体の情報に基づき制御する電力制御ユニットとを備えている。
【０００６】
本発明の電力供給装置によれば、記憶媒体に記憶された情報、即ち使用可能な電力量に相当する情報に基づいて電気接続部に接続された電気機器に対して電力を供給するので、使用可能な電力量よりも多くの電力が電気機器に供給されることがない。
【発明の効果】
【０００７】
本発明によれば、病院施設等で電力が無断使用されることがないし、また、使用可能な電力量よりも多くの電力が電気機器に供給されることがないので、例えば使用可能な電力量に対して予め電力使用料を支払うことにより、電気機器の電力消費量に対する課金を行うことができる。従って、利用者の節電意識が向上するとともに、施設を提供する側にとっても電力消費に係るコストを低減させることができる。
【発明を実施するための最良の形態】
【０００８】
（第１の実施形態）
以下、本発明の第１の実施の形態について、図面を用いて説明する。図１は電力供給装置の斜視図、図２は電力供給装置の機能ブロック図である。
【０００９】
この電力供給装置１００は、病院、ホテル又は旅館等の施設の電源設備から給電されかつ電気機器に接続可能な電気接続部１６０を有する電力供給ユニット１０２と、使用可能な電力量に相当する電力の残使用時間が記憶されたプリペイドカード１０と、電気接続部１６０に接続された電気機器への電力供給量をプリペイドカード１０の情報に基づき制御する電力制御ユニット１０１とを備えている。また、電力制御ユニット１０１は、リーダライタ部１１０、記憶部１８０及び電力制御部１９０ａから構成されているとともに、電力供給部１０２は、選択部１２０、表示部１３０、発光部１４０、計時部１５０、接続部１６０、切替部１７０及び電力供給部１９０ｂから構成されている。なお、電力供給装置１００は、施設内に設けられた既存のコンセントに取り付けが可能な形状に形成されていてもよいし、既存のコンセントの代わりに壁部等に直接取り付けが可能な形状に形成されていてもよい。
【００１０】
プリペイドカード１０は、データの読み書きが可能な磁気カードであり、本願請求項でいう記憶媒体を構成している。プリペイドカード１０には、一定の電力（例えば、５００Ｗ）を使用した場合の電力の使用可能時間が予め記憶されている。また、プリペイドカード１０は、施設内の自動販売機等で購入することが可能である。なお、プリペイドカード１０に、電力の使用可能時間が記憶されたＩＣチップを埋設したＩＣカードを用いてもよい。
【００１１】
リーダライタ部１１０は、周知の磁気カード用リーダライタであって、挿入口１０３に挿入されたプリペイドカード１０に対してデータの読み書きが可能である。
【００１２】
選択部１２０は、複数の選択ボタン１２１〜１２４から構成されている。利用者によって各選択ボタン１２１〜１２４が押下されることにより、押下された選択ボタン１２１〜１２４に対応する電気接続部１６０の各コンセント１６１〜１６４が通電される。
【００１３】
表示部１２０は、液晶ディスプレイ（ＬＣＤ）や蛍光表示管（ＶＦＤ）等の表示機器が用いられており、プリペイドカード１０に記憶された電力の残使用時間が表示される。なお、表示部１４０に表示される情報は、文字情報、静止画像及び動画像等でもよい。
【００１４】
発光部１４０は、複数の発光ダイオード１４１〜１４４から構成されている。各発光ダイオード１４１〜１４４は、選択部１２０の各選択ボタン１２１〜１２４が押下されることにより通電して発光する。具体的には、選択ボタン１２１が押下されると発光ダイオード１４１が、選択ボタン１２２が押下されると発光ダイオード１４２が、選択ボタン１２３が押下されると発光ダイオード１４３が、選択ボタン１２４が押下されると発光ダイオード１４４がそれぞれ点灯する。
【００１５】
計時部１５０は、時刻を計時するための時計回路であり、後述の電力供給部１９０ｂに対して時刻を送信する。
【００１６】
切替部１７０は周知のスイッチであり、施設電源設備（図示せず）から電気接続部１６０の各コンセント１６１〜１６４への通電をスイッチのオンオフによって切替える。また、切替部１７０には各コンセント１６１〜１６４を介して電気機器に供給した電力量を測定するメータが設けられており、メータによって測定された電力量が任意時に後述の電力供給部１９０ｂに送信される。
【００１７】
記憶部１８０はＥＥＰＲＯＭ等の書き換え可能な記憶素子であり、図３に示すように、電力利用者の利用者ＩＤ、電力使用量及び取引日付等から構成された電力使用履歴１８１及び換算係数１８２を記憶している。また、換算係数１８２は、使用可能時間を使用可能電力量に換算するための電力値（例えば５００Ｗ）である。
【００１８】
電力制御部１９０ａはＣＰＵ等を備え、挿入口１０３に挿入されたプリペイドカード１０に対して、リーダライタ部１１０を介してデータの読み書きを行う。電力供給部１９０ｂはＣＰＵ等を備え、利用者によって選択された選択部１２０の選択ボタンに対応する発光部１４０の発光ダイオードに通電して点灯させるとともに、切替部１７０のスイッチを制御することにより、選択された選択ボタンに対応するコンセントに通電させる。また、電力制御部１９０ｂは、プリペイドカード１０に記憶された電力の使用可能時間と切替部１７０から受信した電力量に基づいて残使用時間を算出し、表示部１３０に残使用時間を表示する。なお、電力制御部１９０ａ及び電力制御部１９０ｂの動作については後に詳説する。さらに、電力制御部１９０ａ及び電力供給部１９０ｂを同一のＣＰＵで構成するようにしてもよい。
【００１９】
次に、電力供給装置１００の電力供給に係る動作について図４のフローチャートを参照して説明する。図４に示すように、まず、利用者がプリペイドカード１０を電力供給装置１００の挿入口１０３に挿入すると（ステップＳ１）、電力制御部１９０ａは、電力供給が可能な時間であるかを判定する（ステップＳ２）。具体的には、電力制御部１９０ａから時刻の送信要求を示す信号を電力供給部１９０ｂに送信すると、電力供給部１９０ｂは計時部１５０から受信した時刻を電力制御部１９０ａに送信する。時刻を受信した電力制御部１９０ａは、受信した時刻が記憶部１８０に記憶された供給時間情報１８２の電力供給時間帯に含まれるか否かを判別する。そして、電力供給が可能な時間帯である場合には、電力制御部１９０ａは、プリペイドカード１０に記憶された利用者ＩＤ及び使用可能時間をリーダライタ部１１０を介して読み出し、使用可能時間を記憶部１８０に記憶された換算係数１８２とともに電力供給部１９０ｂに送信する。そして、電力供給部１９０ｂは、受信した使用可能時間を表示部１３０に表示し（ステップＳ３）、電力制御部１９０ａは、プリペイドカード１０を挿入口１０３から排出する（ステップＳ４）。なお、電力を供給しない時間帯である場合には、電力制御部１９０ａは電力を供給しないことを示す信号を電力供給部１９０ｂに送信し、電力供給部１９０ｂは電力を供給しない時間帯であることを示すエラーメッセージを表示部１３０に表示する（ステップＳ１４）。そして、電力制御部１９０ａは、プリペイドカード１０を挿入口１０３から排出する（ステップＳ１５）。
【００２０】
次いで、利用者は、使用する電気機器を電気接続部１６０の各コンセント１６１〜１６４に接続した後に、接続した電気機器に通電させるコンセントを選択部１２０の選択ボタン１２１〜１２４を押下することにより選択する（ステップＳ５）。電力供給部１９０ｂは、切替部１７０のスイッチのうち、押下された選択ボタンに対応するものをオンに切替えることにより、押下された選択ボタン１２１〜１２４に対応する各コンセント１６１〜１６４に通電させる（ステップＳ６）。さらに、電力供給部１９０ｂは、押下された選択ボタン１２１〜１２４に対応する各発光ダイオード１４１〜１４４を点灯させる。例えば、電気接続部１６０のコンセント１６１，１６２にそれぞれ電気機器が接続された状態で、利用者が選択ボタン１２１を押下した場合には、コンセント１６１に接続された電気機器のみが通電し、発光ダイオード１４１が点灯する。
【００２１】
次に、電力制御部１９０ａは、ステップＳ２と同様に電力供給が可能な時間であるかを判定して（ステップＳ７）、電力供給が可能な時間帯である場合には、電力供給部１９０ｂに電力の残使用時間の表示を要求する信号を送信する。電力供給部１９０ｂは、電力の残使用時間を算出し、残使用時間を表示部１３０に表示する（ステップＳ８）。例えば、電力の使用可能時間が１０時間で、換算係数１８２が５００Ｗである場合には、使用可能電力量は５０００Ｗｈとなる。ここで、２００Ｗの電力で１０時間電気機器を使用していたときには、使用可能電力量は３０００Ｗｈとなるので、このまま２００Ｗの電力を使用すると残使用時間は１５時間となる。なお、ステップＳ７において、電力を供給しない時間帯である場合には、電力制御部１９０ａは電力を供給しないことを示す信号を電力供給部１９０ｂに送信し、電力供給部１９０ｂは電力を供給しない時間帯であることを示すエラーメッセージを表示部１３０に表示する（ステップＳ１６）。そして、電力供給部１９０ｂは、切替部１７０のスイッチを全てオフにして、電気接続部１６０の各コンセント１６１〜１６４への通電を遮断する（ステップＳ１３）。このとき、各発光ダイオード１４１〜１４４は全て消灯する。
【００２２】
また、利用者が、電力の使用可能時間が記憶されたプリペイドカード１０を新たに挿入口１０３に挿入した場合（ステップＳ８）、電力制御部１９０ａは、リーダライタ部１１０を介してプリペイドカード１０から電力の使用可能時間を読み出し、残使用時間に加算する（ステップＳ９）とともに、加算後の残使用時間を電力供給部１９０ｂに送信する。残使用時間を受信した電力供給部１９０ｂは、残使用時間を表示部１３０に表示する。例えば、プリペイドカード１０に記憶された電力の使用可能時間が５００Ｗの電力使用時において１００時間である場合に、５００Ｗの電力使用時の残使用時間が５時間であれば、加算後の残使用時間は１０５時間となる。また、１０００Ｗの電力使用時の残使用時間が１時間のときには、加算後の使用可能電力量は５１０００Ｗｈとなるので、１０００Ｗ使用時の残使用時間は５１時間となる。そして、電力制御部１９０ａは、プリペイドカード１０を挿入口１０３から排出する（ステップＳ１０）。
【００２３】
次に、ステップ８において、プリペイドカード１０が挿入口１０３に挿入されず、かつ残使用時間が０となった場合（ステップＳ１１）には、電力供給部１９０ｂは、切替部１７０のスイッチを全てオフにして、電気接続部１６０の各コンセント１６１〜１６４への通電を遮断する（ステップＳ１２）。そして、電力供給部１９０ｂは通電が終了したことを示す信号を電力制御部１９０ａに送信する。また、その信号を受信した電力制御部１９０ａは、記憶部１８０の電力使用履歴１８１にプリペイドカード１０から読み出した利用者ＩＤ、電力使用量及び使用日付を記憶する。なお、ステップＳ１１において残使用時間が０でない場合には、電力供給部１９０ｂは選択された選択部１２０に対応する電気接続部１６０への通電を継続する。
【００２４】
なお、上記フローでは省略したが、電気接続部１６０への通電が遮断されている場合において、電力制御部１９０ａは、一定の時間（例えば１分）毎に電力供給が可能な時間であるかを判定して、電力供給が可能な時間であり、かつ残使用時間が０でないときに、通電が遮断される直前まで選択部１２０で選択されていた電気接続部１６０への通電を再開させてもよい。
【００２５】
このように、本実施形態の電力供給装置１００によれば、病院施設、宿泊施設等の施設電源設備から給電されかつ電気機器に接続可能な電気接続部１６０を有する電力供給ユニット１０２と、使用可能な電力量に相当する残使用時間が記憶されたプリペイドカード１０と、プリペイドカード１０が電気的に着脱されるとともに、電気接続部１６０に接続された電気機器への電力供給量をプリペイドカード１０の情報に基づき制御する電力制御ユニット１０１とを備えたので、使用可能な電力量よりも多くの電力が電気機器に供給されることがない。これにより、例えば使用可能な電力量に対して予め電力使用料を支払うことにより、電気機器の電力消費量に対する課金を行うことができる。従って、利用者の節電意識が向上するとともに、施設を提供する側にとっても電力消費に係るコストを低減させることができる。
【００２６】
さらに、電力供給ユニット１０２は電気接続部１６０を構成する複数のコンセント１６１〜１６４を有するとともに、各コンセント１６１〜１６４を選択する選択部１２０と、選択部１２０で選択された各コンセント１６１〜１６４に電力を供給する電力供給部１９０ａとを有するので、各コンセント１６１〜１６４のうち選択部１２０で選択されたもののみに電力が供給される。従って、各コンセント１６１〜１６４に接続されただけの電気機器には電力が供給されないので、待機電力等による余分な電力消費を防止することができるとともに、電力の省エネルギー化を図ることができる。
【００２７】
さらに、電力制御ユニット１０１は電力使用履歴１８１等の出力情報を出力する電力制御部１９０ａを有するとともに、出力情報を記憶する記憶部１８０を有するので、電力使用履歴１８１を記憶部１８０に記憶することができる。従って、電力供給装置１００が供給した電力量を任意時に知ることができる。
【００２８】
さらに、時刻を計時する計時部１５０を備え、電力制御ユニット１０１は、計時部１５０によって計時された時間が電力を供給しない時間帯であるときに電気接続部１６０への電力の供給を遮断する電力制御部１９０ａを有するので、電力供給を遮断する時間帯には電気接続部１６０に電力が供給されない。従って、例えば夜間に電力の供給を停止することが可能になるので、電力消費をさらに低減することができる。
【００２９】
（第２の実施形態）
本発明の第２の実施形態に係る電力供給装置について説明する。本実施の形態が第１の実施形態と異なる点は、プリペイドカード１０に電子マネーを記憶するＩＣチップが埋設されたＩＣカードを用いて、使用した電力量に対して決済処理を行う点にある。これにより、電子マネーを用いて電気使用料の決済処理を行うことができる。さらに別の異なる点は、電気使用量だけではなく電力供給装置１００に接続された電気機器（例えばテレビ）の使用料について決済処理を行う点にある。これにより、電力使用料及び電気機器の使用料を同時に支払うことができる。他の構成及び動作については第１の実施形態と同様なので、ここでは相違点のみを説明する。
【００３０】
本実施形態に係る電力供給装置１００には、図５及び図６に示すように、排出ボタン１０４とテレビ用電源ケーブル１０５が備えられている。排出ボタン１０４は、挿入口１０３に挿入されたプリペイドカード１０を挿入口１０３から排出するためのものである。また、排出ボタン１０が押下されると、電力制御部１９０ａはプリペイドカード１０に記憶された電子マネーの更新処理を行う。なお、具体的な処理内容は後述する。また、テレビ用電源ケーブル１０５は、その一端が切替部１７０に接続されており、他端がテレビ２０に接続されている。
【００３１】
プリペイドカード１０は、接触若しくは非接触によるデータの読み書きが可能なＩＣチップが埋設されたＩＣカードである。このＩＣチップには、少なくとも電子マネーサービスにおいて利用者を識別するための利用者ＩＤと、電子マネー残額とが記憶されている。
【００３２】
リーダライタ部１１０は、周知のＩＣカード用リーダライタであって、ＩＣチップに対して接触若しくは非接触による通信を行うことにより、ＩＣチップとの間でデータの読み書きを行うことができる。
【００３３】
選択部１２０は一つのボタンで構成されており、選択部１２０が押下される毎に「テレビ」、「テレビ・コンセント」または「コンセント」に通電が切り替わるように電力供給部１９０ｂによって制御される。例えば、プリペイドカード１０が挿入口１０３に挿入された状態において利用者が選択部１２０を一回押下すると、電力供給部１９０ｂは、発光部１４０の発光ダイオード１４５を点灯させるとともに、切替部１７０のスイッチのうちテレビ２０との接続をオンに切替える。これにより、テレビ用電源ケーブル１０５を介してテレビ２０が通電され、テレビ２０が使用可能になる。また、利用者が選択部１２０をもう一度押下すると、電力供給部１９０ｂは、発光ダイオード１４１，１４２，１４５を点灯させるとともに、切替部１７０のスイッチのうち電気接続部１６０のコンセント１６１，１６２への接続をオンに切替える。これにより、テレビ２０とコンセント１６１，１６２とが通電され、それぞれ使用可能となる。さらに、利用者が選択部１２０を押下すると、電力供給部１９０ｂは、発光ダイオード１４５を消灯させるとともに、切替部１７０のスイッチのうちテレビ２０との接続をオフに切替える。これにより、コンセント１６１，１６２のみが通電される。
【００３４】
記憶部１８０には、図７に示すように、電子マネーの利用者ＩＤ、電力使用前後の電子マネー残高の差額を示す電子マネーの取引金額及び取引日付等から構成された電力使用履歴１８１と、換算係数１８２とが記憶されている。換算係数１８２は、電子マネー残額を使用可能電力量に換算するために用いられており、例えば１０００Ｗｈ当たりの料金が記憶されている。また、記憶部１８０には、電気機器への通電が開始される前に表示部１３０に表示される残使用時間の基準となる電力値を示す初期電力値（図示せず）が記憶されている。
【００３５】
本実施形態に係る電力供給装置１００において、図８のフローチャートを参照して説明する。図８に示すように、まず、利用者がプリペイドカード１０を電力供給装置１００の挿入口１０３に挿入すると（ステップＳ２１）、電力制御部１９０ａは、電力供給が可能な時間であるかを判定する（ステップＳ２２）。具体的には、電力制御部１９０ａから時刻の送信要求を示す信号を電力供給部１９０ｂに送信すると、電力供給部１９０ｂは計時部１５０から受信した時刻を電力制御部１９０ａに送信する。時刻を受信した電力制御部１９０ａは、受信した時刻が記憶部１８０に記憶された供給時間情報１８２の電力供給時間帯に含まれるか否かを判別する。電力供給が可能な時間帯である場合には、電力供給部１９０ｂは、受信した使用可能時間を表示部１３０に表示する（ステップＳ２３）。具体的に説明すると、電力制御部１９０ａは、プリペイドカード１０に記憶された利用者ＩＤ及び電子マネー残額をリーダライタ部１１０を介して読み出し、電子マネー残額を記憶部１８０に記憶された換算係数１８２及び初期電力値とともに電力供給部１９０ｂに送信する。そして、電力供給部１９０ｂは、受信した電子マネー残額を換算係数１８２で割ることにより使用可能電力量を求め、さらに使用可能電力量を初期電力値で割ることにより残使用時間を求めて、残使用時間を表示部１４０に表示する。例えば、電子マネー残額が１０００円、換算係数１８２が１０００Ｗｈ当たり２０円、そして初期電力値が５００Ｗである場合に、使用可能電力量は５００００Ｗｈとなるので、残使用時間は１００時間となる。なお、電力を供給しない時間帯である場合には、電力制御部１９０ａは電力を供給しないことを示す信号を電力供給部１９０ｂに送信し、電力供給部１９０ｂは電力を供給しない時間帯であることを示すエラーメッセージを表示部１３０に表示する（ステップＳ３３）。そして、電力制御部１９０ａは、プリペイドカード１０を挿入口１０３から排出する（ステップＳ３４）。
【００３６】
次いで、利用者は、テレビ２０の他に使用する電気機器を電気接続部１６０の各コンセント１６１，１６２に接続した後に、選択部１２０を押下して通電させる電気機器を選択する（ステップＳ２４）。電力供給部１９０ｂは、選択部１２０が押下される毎に発光部１４０の各発光ダイオード１４１，１４２，１４５の点灯・消灯及び切替部１７０のスイッチのオンオフを制御して、テレビ２０や電気接続部１６０の各コンセント１６１，１６２に接続された電気機器への通電を開始する（ステップＳ２５）。
【００３７】
次に、電力制御部１９０ａは、ステップＳ２２と同様に電力供給が可能な時間であるかを判定して（ステップＳ２６）、電力供給が可能な時間帯である場合には、電力供給部１９０ｂに電力の残使用時間の表示を要求する信号を送信する。そして、信号を受信した電力供給部１９０ｂは、残使用時間を表示部１４０に表示する（ステップＳ２７）。例えば、使用可能電力量が５００００Ｗｈであって、電気接続部１６０に接続された電気機器に５００Ｗの電力を５時間供給していた場合には、供給された電力を差し引いた使用可能電力量は４７５００Ｗｈとなるので、残使用時間は使用可能電力量を供給している電力値（５００Ｗ）で割った値（９５時間）となる。また、別の例として、テレビ２０を使用する場合について説明する。電子マネー残額が１０００円で使用可能電力量が５００００Ｗｈのときにテレビ２０に供給した電力量が１００Ｗで１０時間、テレビ２０の使用料が１時間当たり５０円である場合には、テレビ使用料は５００円となるので、電子マネー残額は５００円となる。そして、電子マネー残額を換算したときの使用可能電力量は２５０００Ｗｈとなり、さらにテレビ２０に供給した電力量（１０００Ｗｈ）を差し引くと、使用可能電力量は２４０００Ｗｈとなる。この使用可能電力量を１００Ｗで使用しつづける場合には、残使用時間は２４０時間となり、表示部１３０に残使用時間が表示される。
【００３８】
次いで、利用者が排出ボタン１０３を押下すると（ステップＳ２８）、電力供給部１９０ｂは、換算係数１８２を用いて使用可能電力量を換算電子マネー残額に換算し、電力制御部１９０ａに送信する。電力制御部１９０ａは、受信した電子マネー残額をリーダライタ部１１０を介してプリペイドカード１０のＩＣチップに記憶することにより、電子マネーを更新する（ステップＳ２９）。また、電力制御部１９０ａは、図７に示すように、利用者ＩＤ、電子マネーの取引金額（電力使用前後の電子マネー残高の差額）及び使用日付を記憶部１８０の電力使用履歴１８１に記憶する。なお、ステップＳ２８において利用者が排出ボタンを押下せず、さらに残使用時間が０であった場合（ステップＳ３０）には、ステップＳ２９以降の処理を行う。また、ステップＳ３０において、残使用時間が０でない場合には、ステップＳ２６以降の処理を行う。
【００３９】
次に、電力制御部１９０ａは、プリペイドカード１０を挿入口１０３から排出し（ステップＳ３１）、切替部１７０のスイッチを全てオフにしてテレビ２０及び電気接続部１６０の各コンセント１６１，１６２への通電を遮断する（ステップＳ３２）。
【００４０】
なお、ステップＳ２６において、電力を供給しない時間帯である場合には、電力制御部１９０ａは電力を供給しないことを示す信号を電力供給部１９０ｂに送信し、電力供給部１９０ｂは電力を供給しない時間帯であることを示すエラーメッセージを表示部１３０に表示した後に（ステップＳ３５）、切替部１７０のスイッチを全てオフにしてテレビ２０及び電気接続部１６０の各コンセント１６１，１６２への通電を遮断する（ステップＳ３２）。
【００４１】
また、上記フローでは省略したが、第１の実施形態と同様に、電気接続部１６０への通電が遮断されている場合において、電力制御部１９０ａは、一定の時間（例えば１分）毎に電力供給が可能な時間であるかを判定して、電力供給が可能な時間であり、かつ残使用時間が０でないときに選択部１２０で選択されていた電気接続部１６０への通電を再開させてもよい。
【００４２】
このように、本実施形態の電力供給装置によれば、電力制御ユニット１０１は電気接続部１６０に接続した電気機器に供給した電力量に基づいて、プリペイドカード１０に記憶された電子マネーの決済処理を行う電力制御部１９０ａを有するので、電力使用料を電子マネーで支払うことができる。従って、利用者の利便性が向上する。
【００４３】
さらに、電力制御ユニット１０１は電気接続部１６０に接続した電気機器に供給した電力量及びテレビ２０の使用時間に基づいて、プリペイドカード１０に記憶された電子マネーの決済処理を行う電力制御部を有するので、電力使用料及びテレビ２０の使用料を同時に電子マネーで支払うことができる。従って、利用者の利便性が向上する。
【００４４】
（第３の実施形態）
本発明の第３の実施形態に係る電力供給装置について説明する。本実施形態が第１及び第２の実施形態と異なる点は、電力制御ユニット１０１と電力供給ユニット１０２との間で通信制御部２００ａ，２００ｂを介して互いに通信を行う得点にある。他の構成及び動作については第１及び第２の実施形態と同様なので、ここでは相違点のみを説明する。
【００４５】
各通信制御部２００ａ，２００ｂは、図９に示すように、それぞれ電力制御部１９０ａ、電力供給部１９０ｂに接続されており、各通信制御部２００ａ，２００ｂの間はイーサネット（登録商標）ケーブルで接続されている。電力制御部１９０ａから送出された信号は、通信制御部２００ａ、イーサネット（登録商標）ケーブル及び通信制御部２００ｂを介して電力供給部１９０ｂまで送信される。また、その逆に電力供給部１９０ｂから送出された信号は、通信制御部２００ｂ、イーサネット（登録商標）ケーブル及び通信制御部２００ａを介して電力供給部１９０ａまで送信される。なお、各通信制御部２００ａ，２００ｂの間はイーサネット（登録商標）ケーブルのような有線接続ではなく、赤外線や無線ＬＡＮ等のように無線接続によって通信を行ってもよい。
【００４６】
このように、本実施形態の電力供給装置によれば、電力制御ユニット１０１と電力供給ユニット１０２との間でデータ通信するための通信制御部２００ａ，２００ｂを備えたので、電力制御ユニット１０１と電力供給ユニット１０２との間を有線または無線で接続することができる。従って、プリペイドカード１０を所有する利用者は、手元に電力制御ユニット１０１を配置することにより、電力供給ユニット１０２から離れた場所でも容易に電力の残使用時間を増やすことができるので、利用者の利便性が向上する。
【００４７】
（第４の実施形態）
本発明の第４の実施形態に係る電力供給装置について説明する。本実施形態が第１乃至第３の実施形態と異なる点は、ネットワーク３００に接続された管理サーバ４００との間で電力使用履歴１８１及び換算係数１８２を送受信する点にある。他の構成及び動作については第１乃至第３の実施形態と同様なので、ここでは相違点のみを説明する。
【００４８】
管理サーバ４００は、図１０に示すように、制御部４１０と記憶部４２０等から構成されており、モデム等で構成された通信装置２１０及びネットワーク３００を介して電力供給装置１００と通信可能となっている。記憶部４２０には電力使用履歴１８１、換算係数１８２が記憶されており、制御部４１０は、記憶部４２０に記憶された換算係数１８２の送信要求を電力供給装置１００から受信したときに、公開鍵暗号方式等を用いて電力供給装置１００が正当な端末であることを認証した後に、記憶部４２０に記憶された換算係数１８２を電力供給装置１００に送信する。また、制御部４００は、電力供給装置１００から任意時に送信された電力使用履歴１８１を記憶部４２０に記憶する。なお、管理サーバ４００の管理者は、管理サーバ４００に備えられたモニタやキーボード等（共に図示せず）を用いて記憶部４２０に記憶されている電力使用履歴１８１及び換算係数１８２を参照し、更新することが可能である。
【００４９】
本実施形態に係る電力制御部１９０ａは、通信装置２１０に接続されており、ネットワーク３００を介して管理サーバ４００と通信可能となっている。電力制御部１９０ａは、任意時に管理サーバ４００に接続して、管理サーバ４００の記憶部４２０に記憶された換算係数１８２のうち電力供給装置１００の記憶部１８０に記憶されていない換算係数１８２を検出し、検出した換算係数１８２に係る送信要求を管理サーバ４００に送信する。また、電力制御部１９０ａは、図７に示すように記憶部１８０に記憶された電力使用履歴１８１を任意時に通信装置２１０を介して管理サーバ４００及び電子マネーサービスの管理サーバ３１０に送信する。なお、各管理サーバ３１０は、電子マネーサービスを運営する事業者によって管理されている。
【００５０】
このように、本実施形態の電力供給装置によれば、ネットワーク接続用の通信装置２１０と、電力制御部１９０ａから通信装置２１０を介して送信された電力使用履歴１８１等の出力情報を受信し、受信した出力情報を記憶する管理サーバ４００とを備えたので、管理サーバ４００には電力供給装置１００の電力使用履歴１８１が送信される。従って、管理サーバ４００の管理者は、管理サーバ４００の記憶部４２０に記憶された電力使用履歴１８１を参照することにより、電力使用料等を把握することができるので、電力使用料の管理が容易になる。
【００５１】
また、電力制御ユニット１０１の記憶部１８０は、通信装置２１０を介して管理サーバ４００から受信した換算係数１８２等の設定情報を記憶部１８０に記憶するように構成したので、管理サーバ４００から受信した換算係数１８２を記憶部１８０に記憶することができる。従って、複数の電力供給装置１００を用いる場合には、同一の換算係数１８２を容易に各電力供給装置１００に設定することができる。
【００５２】
なお、上記実施形態では、電力使用履歴１８１を出力情報として説明したが、電力制御部１９０ａが検知した電力供給装置１００の不具合等のエラー情報を出力情報に含めてもよい。
【００５３】
さらに、上記実施形態では、換算係数１８２を設定情報として説明したが、表示部１３０に表示する文字情報等を設定情報に含めてもよい。
【図面の簡単な説明】
【００５４】
【図１】本発明の第１の実施形態に係る電力供給装置の斜視図
【図２】電力供給装置の機能ブロック図
【図３】電力使用履歴のデータ構造の一例を示す図
【図４】電力供給装置の動作を説明するフローチャート
【図５】本発明の第２の実施形態に係る電力供給装置の斜視図
【図６】電力供給装置の機能ブロック図
【図７】電力使用履歴のデータ構造の一例を示す図
【図８】電力供給装置の動作を説明するフローチャート
【図９】本発明の第３の実施形態に係る電力供給装置の機能ブロック図
【図１０】本発明の第４の実施形態に係る電力供給装置の機能ブロック図
【符号の説明】
【００５５】
１０…プリペイドカード、１００…電力供給装置、１０１…電力制御ユニット、１０２…電力供給ユニット、１１０…リーダライタ部、１２０…選択部、１５０…計時部、１６０…電気接続部、１８０…記憶部、１８１…電力使用履歴、１８２…換算係数、１９０ａ…電力制御部、１９０ｂ…電力供給部、２００ａ，２００ｂ…通信制御部、２１０…通信装置、３００…ネットワーク、４００…管理サーバ。
【図１】
2006344144.tif 000003
【図２】
2006344144.tif 000004
【図３】
2006344144.tif 000005
【図４】
2006344144.tif 000006
【図５】
2006344144.tif 000007
【図６】
2006344144.tif 000008
【図７】
2006344144.tif 000009
【図８】
2006344144.tif 000010
【図９】
2006344144.tif 000011
【図１０】
2006344144.tif 000012